(57)【要約】      （修正有）【課題】ビルの屋上などの緑化を図るに際し、手際よく低コストに耐久性のよい緑化部分の敷設をユニット式で行なう。【解決手段】上面を開口部とし各側面１ｂの上部側に潅水用孔２とその下部側に排水用孔３が穿孔された植栽容器同士を、所望の側面１ｂを介して連接し、連接された植栽容器同士の潅水用孔２と排水用孔３同士のそれぞれにニップル４を挿通し、パッキン５を介しつつロックナット６を固着し、連接された植栽容器同士を潅水路と排水路を確保しつつ締め付け固定する。また、連接される植栽容器１のない側面１ｂの潅水用孔２と排水用孔３とには、挿通固定されたニップル４をクローズニップル７により密封する。【選択図】  図４
2004208622.tif 000002
【特許請求の範囲】
【請求項１】
上面を開口部とし各側面の上部側に潅水用孔とその下部側に排水用孔が穿孔された植栽容器同士を、所望の側面を介して連接すると共に、連接された植栽容器同士は互いの潅水用孔同士、及び、排水用孔同士が付き合わされ、付き合わされた潅水用孔同士と排水用孔同士のそれぞれにはニップルが挿通されると共に、挿通されたニップルには側面を挟む両側からパッキンを介しつつロックナットが固着され、連接された植栽容器同士を締め付け固定すると共に、潅水路と排水路とを確保し、連接される植栽容器のない側面の潅水用孔と排水用孔とには、挿通されたニップルに側面を挟む両側からパッキンを介しつつロックナットが固着されると共に、ニップルはクローズニップルにより密封されることを特徴とする屋上などの緑化領域敷設方法。
【請求項２】
上面を開口部とし、各側面の上部側を潅水用孔として穿孔すると共に、下部側を排水用孔として穿孔してなる植栽容器と、上記植栽容器の潅水用孔に挿通されるニップルと、上記排水用孔に挿通されるニップルと、上記各ニップルの外周に螺合されるロックナットと、上記ニップルの内周に螺合されるクローズニップルとを備えることを特徴とする緑化用底面潅水装置。
【請求項３】
植栽容器上面の開口部からは、金網を挿嵌すると共に、この金網を下敷きとしつつ土壌に比して軽量な植栽マットを着脱自在に挿嵌することを特徴とする請求項２記載の屋上などの緑化用底面潅水装置。
【請求項４】
潅水の始端側には給水タンクと巡回水用ポンプと電磁弁が配備されると共に、潅水の終端側には水位センサが配備され、且つ、上記給水タンクと上記巡回水用ポンプと上記電磁弁と上記水位センサとを制御する潅水制御装置を備えることを特徴とする請求項２又は３記載の緑化用底面潅水装置。
【発明の詳細な説明】
【０００１】
【発明の属する技術分野】
この発明は、ビルの屋上などの緑化を図るに際し、手際よく低コストに耐久性のよい緑化部分の敷設を行うことが可能なユニット式の屋上などの緑化領域敷設方法、及び、緑化用底面潅水装置に関するものである。
【０００２】
【従来の技術】
周知のように、特に都市部における環境問題としてヒートアイランド現象の緩和が急務の課題として提案されている。具体的には、地球温暖化という世界規模の環境問題解決のために、東京都では平成１１年度に自然保護条例の改正を行い、ビルの屋上の２０％を植栽し緑化を図るように義務付けはじめているが、その他多くの自治体でも導入が検討されている。
【０００５】
屋上緑化を図るには、比較的単純な方法として、鉢植えされた植物を搬入する方法や植栽マットを敷く方法などがあり、本格的な方法としては植栽容器に土壌を入れた緑化装置を設置するなどの方法がある。
近年は、上記したような自然保護条例の義務付けだけではなく、環境問題への関心の高まりもあいまって、屋上に緑化装置を設置するという本格的な緑化方法への関心が持たれ始めてきている。また、そのような要求に応えるべく、特開２００２−３１５４５６公報によるような緑化システムなども提案されている。
【０００６】
【発明が解決しようとする課題】
ところで、屋上では太陽の光も地上よりもはるかに強く、風速も常時４０ｍ／ｓｅｃを越えることもあり、このため屋上に本格的に緑化領域を設けるには、熱射や乾燥，風速など過酷な条件下に緑化装置を設置しなければならないこととなる。また、緑化領域を設けるためには、土壌や小石なども搬入しなければならず、作業の手間もかかると共に、建物に対する荷重もかかることとなり、防水対策も万全を期さなければならない。
【０００７】
したがって、屋上緑化には多くの設備費用がかかる上、生育管理のための維持費用も継続して必要となるが、このような諸条件を勘案した有効な屋上緑化装置は未だ提案されておらず、屋上緑化への関心の高まりにもかかわらずその普及は今一歩の感がある。
【０００８】
本発明者は、上記のような事情を鑑み、屋上の形状に対応してどのような緑化領域をも千変万化に容易に形成できると共に、防水加工の軽減化，設置作業の軽減化などを図り、低コストに屋上環境下に緑化領域を設けることができる技術について鋭意研究を行った。
【０００９】
このように、この発明はビルの屋上などの緑化を図るに際し、手際よく低コストに耐久性のよい緑化部分の敷設を行うことが可能なユニット式の屋上などの緑化領域敷設方法、及び、緑化用底面潅水装置の提供をその目的とする。
【００１０】
【課題を解決するための手段】
この発明は、上記のような目的を達成するために、屋上などの緑化領域敷設方法として、請求項１記載のように、上面を開口部とし各側面の上部側に潅水用孔とその下部側に排水用孔が穿孔された植栽容器同士を、所望の側面を介して連接すると共に、連接された植栽容器同士は互いの潅水用孔同士、及び、排水用孔同士が付き合わされ、付き合わされた潅水用孔同士と排水用孔同士のそれぞれにはニップルが挿通されると共に、挿通されたニップルには側面を挟む両側からパッキンを介しつつロックナットが固着され、連接された植栽容器同士を締め付け固定すると共に、潅水路と排水路とを確保し、連接される植栽容器のない側面の潅水用孔と排水用孔とには、挿通されたニップルに側面を挟む両側からパッキンを介しつつロックナットが固着されると共に、ニップルはクローズニップルにより密封されることを特徴とする。
【００１１】
また、緑化用底面潅水装置として、請求項２記載のように、上面を開口部とし、各側面の上部側を潅水用孔として穿孔すると共に、下部側を排水用孔として穿孔してなる植栽容器と、上記植栽容器の潅水用孔に挿通されるニップルと、上記排水用孔に挿通されるニップルと、上記各ニップルの外周に螺合されるロックナットと、上記ニップルの内周に螺合されるクローズニップルと、を備えることを特徴とする。また、請求項３記載のように、植栽容器上面の開口部からは、金網を挿嵌すると共に、この金網を下敷きとしつつ土壌に比して軽量な植栽マットを着脱自在に挿嵌することを特徴とする。また、請求項４記載のように、潅水の始端側には給水タンクと巡回水用ポンプと電磁弁が配備されると共に、潅水の終端側には水位センサが配備され、且つ、上記給水タンクと上記巡回水用ポンプと上記電磁弁と上記水位センサとを制御する潅水制御装置を備えることを特徴とする。
【００１２】
【発明の実施の形態】
以下、この発明の実施例を図面に基づき詳細に説明する。図１は、この発明に係る植栽容器の構造を示す断面用説明図である。
【００１３】
図１に示すように、植栽容器１は上面を開口部１ａとして四角に折り曲げられたステンレス製等の箱体よりなり、各側面１ｂ・・・のほぼ中央部位において上下に一対の所定孔が穿孔されている。上部側の孔は潅水用孔２として穿孔されており、下部側の孔は排水用孔３として穿孔されている。
【００１４】
そして、このような植栽容器１が多数準備される。この植栽容器１は、１個で使用することもできるが、通常は複数の植栽容器１・・・が連結されて使用される（図３参照）。すなわち、図１に示すように、一方の植栽容器１の１つの側面１ｂに他方の植栽容器１の１つの側面１ｂを連接すると、両植栽容器１，１における潅水用孔２，２と排水用孔３，３とが付き合わされた状態で、両植栽容器１，１は互いに連接されることとなる。勿論、一方の植栽容器１の１つの側面１ｂにだけ他方の植栽容器１を連接するのではなく、その他の側面や全側面に連接を行ってもよい。
【００１５】
いずれにせよ、植栽容器１，１の側面１ｂ，１ｂ同士を連接させれば、植栽容器１，１同士は、両植栽容器における潅水用孔２，２と排水用孔３，３とが付き合わされつつ互いに連接されることとなり、その組み合わせによってあらゆる形状の植栽領域を確保することができる（図５乃至図７参照）。
【００１６】
互いに連接された植栽容器１，１同士は、次のようにして潅水路２０と排水路３０とが形成される。すなわち、植栽容器１，１の互いに付き合わされた潅水用孔２，２には所定長のニップル４が挿通され、同様に、互いに付き合わされた排水用孔３，３には所定長のニップル４が挿通される。そして、潅水用孔２，２に挿通されたニップル４には、連接された植栽容器１，１の内側から側面１ｂ，１ｂを挟んでそれぞれパッキン５，５を介しつつロックナット６，６を螺着し、側面１ｂ，１ｂに締め付け固着してニップル４を固定化する。同様に、排水用孔３，３に挿通されたニップル４にも連接された植栽容器１，１の内側からそれぞれパッキン５，５を介しつつロックナット６，６を螺着し、側面１ｂ，１ｂに締め付け固着してニップル４を固定化する。これにより、互いに連接された植栽容器１，１間には、潅水路２０と排水路３０が形成され堅牢に連結される。
【００１７】
一方、植栽容器１，１において、潅水路２０と排水路３０とされない潅水用孔２と排水用孔３とは、次のように密封される。すなわち、潅水用孔２と排水用孔３とにはそれぞれニップル４が挿通され、植栽容器１，１の側面１ｂを挟んでパッキン５，５を介しつつロックナット６，６を螺着し、側面１ｂに締め付け固着してニップル４を固定化し、固定化されたニップル４にクローズニップル７を螺合しニップル４を密封する（図３参照）。
【００１８】
このように、植栽容器１を側面１ｂを挟んで一列に並べたり十文字に配置したりしながら、屋上の面積や形状に合わせ自在に組み合わせつつ所望の植栽領域を形成し、緑化領域を敷設して確保すると共に、連接された植栽容器１，１同士間に潅水路２０と排水路３０とを形成し、同時に植栽容器１，１同士を連結し、また、植栽容器１の密封化を確保する。なお、植栽容器１は図示したような四角形ではなく、三角形１００や多角形１０１など方形状のものであればユニット方式として用いることができる。
【００１９】
この植栽容器１に植栽する場合には、図４に示したように、ニップル４，４間に細孔８ａ・・・の開設されたステンレスガイド８を掛け渡し、ニップル４に対する防塵を施す。そして、ステンレスガイド８の上にステンレス製の金網９を置き、その上に植栽マット１０を載置する。植栽マット１０は、マット自体はヤシ繊維など土壌に比して軽量なものを用いる。また、植栽される植物はセダム（万年草）や薬草，小低木など乾燥や熱に強い植物が好適である。
【００２０】
潅水制御システムは、図１０に示したように、植栽容器１内における潅水の終端側に水位センサ１１が配備される。また、潅水の始端側には給水タンク１２と巡回水用ポンプ１３及び電磁弁１４などが配備される。水位センサ１１，給水タンク１２，巡回水用ポンプ１３，電磁弁１４などは潅水制御装置１５によって制御される。なお、各機器の電気的な接続やシーケンス制御などは、従来周知の技術手段を用いて構成することができ、また、この発明の要旨とは直接関係しないので、その詳細な説明は省略をする。
【００２１】
このように、この実施例によれば、緑化領域を形成するのに際し、予め上面を開口部とし各側面の上部側に潅水用孔とその下部側に排水用孔が穿孔された方形状の植栽容器を準備し、植栽容器同士を所望の側面を介して連接すると共に、連接された植栽容器同士においては、互いの潅水用孔同士及び排水用孔同士が付き合わされるので、これらの孔にニップルを挿通しこのニップルをパッキンを介しつつロックナットで固着するよう構成されているので、連接された植栽容器同士は容易に締め付け固定されて連結されると共に、手際よく潅水路と排水路を確保することができる。
【００２２】
また、連接される植栽容器のない側面の潅水用孔と排水用孔は、挿通されたニップルに側面を挟む両側からパッキンを介しつつロックナットを固着すると共に、ニップルはクローズニップルにより密封されるように構成されているので、、屋上の形状に対応してどのような緑化領域をも容易に形成できると共に、防水加工の軽減化，設置作業の軽減化などを図り、低コストに屋上環境下に緑化領域を設けることができる。
【００２２】
さらに、植栽容器には土壌に比して軽量な植栽マットを着脱自在に挿嵌するので、屋上などの緑化に好適な植栽を行うことができる。また、屋上などの緑化に好適な潅水制御システムを提供することができる。
【００２３】
【発明の効果】
以上説明したように、請求項１及び２に記載の発明によれば、敷設箇所の形状に合わせて容易に緑化領域を形成できると共に、防水加工の軽減化，設置作業の軽減化，耐久性の向上化などの図られた緑化を行うことができる。
また、請求項３に記載の発明によれば、より一層屋上環境下に相応しい軽量な緑化を行うことができる。
また、請求項４に記載の発明によれば、上記各効果と共に、屋上環境下に相応しい好適な潅水制御を行うことができる。
【図面の簡単な説明】
【図１】この発明に係る植栽容器の構造を示す縦断面の説明図である。
【図２】この発明に係る植栽容器の構造を示す平面用説明図である。
【図３】植栽容器同士の連結構造を示す縦断面の説明図である。
【図４】植栽容器における植栽構造を示す縦断面の説明図である。
【図５】緑化領域の敷設例の１例を示す説明図である。
【図６】緑化領域の敷設例の２例を示す説明図である。
【図７】緑化領域の敷設例の３例を示す説明図である。
【図８】植栽容器における他の１例を示す説明図である。
【図９】植栽容器における他の２例を示す説明図である。
【図１０】この発明に係る潅水制御システムを示す説明図である。
【符号の説明】
１      植栽容器
２      潅水用孔
３      排水用孔
４      ニップル
５      パッキン
６      ロックナット
７      クローズニップル
【図１】
2004208622.tif 000003
【図２】
2004208622.tif 000004
【図３】
2004208622.tif 000005
【図４】
2004208622.tif 000006
【図５】
2004208622.tif 000007
【図６】
2004208622.tif 000008
【図７】
2004208622.tif 000009
【図８】
2004208622.tif 000010
【図９】
2004208622.tif 000011
【図１０】
2004208622.tif 000012